(57)【要約】【課題】好適な比較が可能な測定結果を短時間で容易に取得可能とする。【解決手段】制御部が、予め規定された第１の条件が満たされたときに（ステップ１１）、測定部による電流値の測定および演算部による絶縁抵抗値の演算を開始させ（ステップ１２）、かつ予め規定された第２の条件が満たされたときに、その時点において演算部によって演算された絶縁抵抗値を測定対象についての測定結果として保持すると共に（ステップ１４）、予め規定された測定結果保持操作が行われたとの条件Ａ（ステップ１３）、演算された絶縁抵抗値が予め設定された第１の抵抗値以上になったとの条件Ｂ（ステップ１６）、および演算された絶縁抵抗値が第１の抵抗値を下回る値で予め規定された安定状態になったとの条件Ｃ（ステップ１７）のいずれかの条件が満たされたときに、第２の条件が満たされたとする。【選択図】図３
2019191058.tif 000002
【特許請求の範囲】
【請求項１】
測定対象に測定用電圧を印加しつつ、当該測定対象を流れる電流の電流値を測定する測定部と、
前記測定用電圧の電圧値、および前記測定部によって測定された前記電流値に基づいて当該測定対象の絶縁抵抗値を演算する演算部と、
前記測定部および前記演算部を制御する制御部とを備えた絶縁抵抗計であって、
前記制御部は、予め規定された第１の条件が満たされたときに、前記測定部による前記電流値の測定および前記演算部による前記絶縁抵抗値の演算を開始させ、かつ予め規定された第２の条件が満たされたときに、当該第２の条件が満たされた時点において前記演算部によって演算された前記絶縁抵抗値を前記測定対象についての測定結果として保持すると共に、
予め規定された測定結果保持操作が行われたとの条件Ａ、前記演算部によって演算された前記絶縁抵抗値が予め設定された第１の抵抗値以上になったとの条件Ｂ、および前記演算部によって演算された前記絶縁抵抗値が前記第１の抵抗値を下回る値で予め規定された安定状態になったとの条件Ｃのいずれかの条件が満たされたときに、前記第２の条件が満たされたとする絶縁抵抗計。
【請求項２】
前記制御部は、前記条件Ａ、前記条件Ｂ、前記演算部によって演算された前記絶縁抵抗値が前記第１の抵抗値よりも低い値の予め設定された第２の抵抗値よりも低い値で前記予め規定された安定状態になったとの前記条件Ｃとしての条件Ｄ、および前記演算部によって演算された前記絶縁抵抗値が前記第２の抵抗値以上で前記第１の抵抗値未満の範囲内で前記予め規定された安定状態になったとの前記条件Ｃとしての条件Ｅのいずれかの条件が満たされたときに、前記第２の条件が満たされたとすると共に、
前記条件Ｂおよび前記条件Ｅのいずれかが満たされたときに、前記測定対象の絶縁状態が良好であると判定し、かつ前記条件Ｄが満たされたときに、前記測定対象の絶縁状態が不良であると判定する請求項１記載の絶縁抵抗計。
【請求項３】
前記制御部は、前記第２の条件が満たされたときに、前記測定部による前記電流値の測定および前記演算部による前記絶縁抵抗値の演算を終了させる請求項１または２記載の絶縁抵抗計。
【請求項４】
前記制御部の制御に従って前記測定結果を外部装置に出力する測定結果出力部を備え、
前記制御部は、前記第２の条件が満たされたときに、前記測定結果出力部から前記外部装置に前記測定結果を出力させる請求項１から３のいずれかに記載の絶縁抵抗計。
【発明の詳細な説明】
【技術分野】
【０００１】
本発明は、各種測定対象についての絶縁抵抗値を測定可能に構成された絶縁抵抗計に関するものである。
【背景技術】
【０００２】
電気設備などの絶縁抵抗値を測定する際に使用する絶縁抵抗計では、測定対象に対して測定用電圧を印加しつつ、測定対象を流れる電流（漏れ電流）の電流値を測定し、印加した測定用電圧の電圧値と測定された電流値とに基づいて絶縁抵抗値を演算する構成が採用されている。
【０００３】
この場合、測定対象が容量成分を有しているときには、測定用電圧の印加開始から容量成分の充電が完了するまで、充電に伴って測定対象を流れる電流の電流値が漏れ電流に加算された状態で測定されることとなる。このため、この種の絶縁抵抗計を用いた絶縁抵抗の測定に際しては、容量成分の充電が完了する前に測定された電流値に基づいて実際の値よりも低い絶縁抵抗値が測定されるのを回避するために、使用者が測定開始から測定値（電流値、または、電流値に基づいて演算される絶縁抵抗値）をモニタリングして、安定状態になったと判断したときに測定値をホールドさせたり、測定開始から予め規定された時間（例えば１分）が経過するまで測定処理を継続して、規定時間に達したときに測定値をホールドさせたりする作業が広く行われている。
【０００４】
一方、出願人が下記の特許文献に開示している絶縁抵抗計では、測定レバーの操作による測定開始直後から、測定値（絶縁抵抗値）が所定時間間隔で逐次表示替えされると共に、測定開始から１分が経過した時点において、その時点の測定値（絶縁抵抗値）が自動的にホールドされて１分経過値として表示部に継続して表示された状態となる構成が採用されている。
【０００５】
したがって、出願人が開示している絶縁抵抗計では、測定開始から測定値をモニタリングすることにより、１分が経過する以前に測定値が安定状態になったと判断したときに測定レバーの操作を終了することによって、その時点の測定値をホールドさせることができる。これにより、一般的な絶縁抵抗計を用いた測定作業時と同様にして、任意の時点の測定値を測定結果として保持することが可能となっている。また、出願人が開示している絶縁抵抗計では、測定開始から１分が経過した時点において、その時点の測定値が自動的にホールドされる。これにより、測定値のモニタリングや、測定開始からの経過時間の計時を行わなくても、測定値が安定状態となるのに充分な１分経過時点の測定値を測定結果として保持することが可能となっている。
【先行技術文献】
【特許文献】
【０００６】
【特許文献１】特開２０００−２１４１９５号公報（第２−４頁、第１−３図）
【発明の概要】
【発明が解決しようとする課題】
【０００７】
ところが、出願人が上記特許文献に開示している絶縁抵抗計には、以下のような改善すべき課題が存在する。
【０００８】
具体的には、出願人が開示している絶縁抵抗計では、使用者が測定開始から１分が経過する前に測定値が安定状態になったと判別して測定値をホールドさせる使用形態において、「安定状態」の判別基準が使用者毎に相違することがあり、また、同じ使用者が作業する場合においても、測定作業の都度、「安定状態」の判別基準が相違することがある。
【０００９】
したがって、例えば、測定対象の経時変化の状態を把握するための測定作業を定期的に繰り返し行うときに、実際には測定値（絶縁抵抗値）が変化していないにも拘わらず、上記の「安定状態」の判別基準の相違に起因して、測定作業の都度、異なる測定値が測定されたり、実際には測定値（絶縁抵抗値）が変化しているにも拘わらず、上記の「安定状態」の判別基準の相違に起因して、過去の測定作業時と同じ値の測定値が測定されたりするおそれがある。また、上記の「安定状態」の判別基準の相違に起因して、同じ測定値（絶縁抵抗値）が測定されるべき複数の測定対象について異なる測定値が測定されたり、異なる測定値（絶縁抵抗値）が測定されるべき複数の測定対象について同じ測定値が測定されたりするおそれもある。このため、手動でホールドさせた測定値を測定結果とする使用形態では、好適な比較が可能な測定結果を得るのが困難となっている現状があり、この点を改善するのが好ましい。
【００１０】
また、測定開始から１分が経過した時点で自動的にホールドされる測定値（絶縁抵抗値）を使用する使用形態においては、上記の「安定状態」の判別基準の相違に起因する課題を解決できるものの、継続する必要がない不要な測定処理が行われている時間が存在することで、作業時間の短縮が困難となっている現状がある。
【００１１】
具体的には、例えば、絶縁状態が非常に良好で、かつ容量成分が小さい測定対象については、測定処理を開始してから僅かな時間が経過した時点において、絶縁状態が良好であると判定するのに充分な絶縁抵抗値が測定される。また、例えば、絶縁状態が不良で、かつ容量成分が小さい測定対象については、測定処理を開始してから僅かな時間が経過した時点において、絶縁状態が良好であると判定するのに必要な絶縁抵抗値よりも低い値で測定値が安定した状態となる。しかしながら、１分経過値を測定結果として使用する使用形態においては、上記の例のような測定対象についても、測定開始から１分が経過するまで測定値がホールドされないため、不要な測定処理が継続される分だけ、測定作業に要する時間が長時間となっている。このため、この点を改善するのが好ましい。
【００１２】
本発明は、かかる改善すべき課題に鑑みてなされたものであり、好適な比較が可能な測定結果を短時間で容易に取得することが可能な絶縁抵抗計を提供することを主目的とする。
【課題を解決するための手段】
【００１３】
上記目的を達成すべく、請求項１記載の絶縁抵抗計は、測定対象に測定用電圧を印加しつつ、当該測定対象を流れる電流の電流値を測定する測定部と、前記測定用電圧の電圧値、および前記測定部によって測定された前記電流値に基づいて当該測定対象の絶縁抵抗値を演算する演算部と、前記測定部および前記演算部を制御する制御部とを備えた絶縁抵抗計であって、前記制御部は、予め規定された第１の条件が満たされたときに、前記測定部による前記電流値の測定および前記演算部による前記絶縁抵抗値の演算を開始させ、かつ予め規定された第２の条件が満たされたときに、当該第２の条件が満たされた時点において前記演算部によって演算された前記絶縁抵抗値を前記測定対象についての測定結果として保持すると共に、予め規定された測定結果保持操作が行われたとの条件Ａ、前記演算部によって演算された前記絶縁抵抗値が予め設定された第１の抵抗値以上になったとの条件Ｂ、および前記演算部によって演算された前記絶縁抵抗値が前記第１の抵抗値を下回る値で予め規定された安定状態になったとの条件Ｃのいずれかの条件が満たされたときに、前記第２の条件が満たされたとする。
【００１４】
また、請求項２記載の絶縁抵抗計は、請求項１記載の絶縁抵抗計において、前記制御部は、前記条件Ａ、前記条件Ｂ、前記演算部によって演算された前記絶縁抵抗値が前記第１の抵抗値よりも低い値の予め設定された第２の抵抗値よりも低い値で前記予め規定された安定状態になったとの前記条件Ｃとしての条件Ｄ、および前記演算部によって演算された前記絶縁抵抗値が前記第２の抵抗値以上で前記第１の抵抗値未満の範囲内で前記予め規定された安定状態になったとの前記条件Ｃとしての条件Ｅのいずれかの条件が満たされたときに、前記第２の条件が満たされたとすると共に、前記条件Ｂおよび前記条件Ｅのいずれかが満たされたときに、前記測定対象の絶縁状態が良好であると判定し、かつ前記条件Ｄが満たされたときに、前記測定対象の絶縁状態が不良であると判定する。
【００１５】
さらに、請求項３記載の絶縁抵抗計は、請求項１または２記載の絶縁抵抗計において、前記制御部は、前記第２の条件が満たされたときに、前記測定部による前記電流値の測定および前記演算部による前記絶縁抵抗値の演算を終了させる。
【００１６】
また、請求項４記載の絶縁抵抗計は、請求項１から３のいずれかに記載の絶縁抵抗計において、前記制御部の制御に従って前記測定結果を外部装置に出力する測定結果出力部を備え、前記制御部は、前記第２の条件が満たされたときに、前記測定結果出力部から前記外部装置に前記測定結果を出力させる。
【発明の効果】
【００１７】
請求項１記載の絶縁抵抗計では、制御部が、予め規定された第１の条件が満たされたときに、測定部による電流値の測定および演算部による絶縁抵抗値の演算を開始させ、かつ予め規定された第２の条件が満たされたときに、第２の条件が満たされた時点において演算部によって演算された絶縁抵抗値を測定対象についての測定結果として保持すると共に、予め規定された測定結果保持操作が行われたとの条件Ａ、演算部によって演算された絶縁抵抗値が予め設定された第１の抵抗値以上になったとの条件Ｂ、および演算部によって演算された絶縁抵抗値が第１の抵抗値を下回る値で予め規定された安定状態になったとの条件Ｃのいずれかの条件が満たされたときに、第２の条件が満たされたとする。
【００１８】
したがって、請求項１記載の絶縁抵抗計によれば、絶縁状態が良好で、かつ容量成分が小さい測定対象については、測定部による測定および演算部による絶縁抵抗値の演算を開始してから短時間で第１の抵抗値以上の絶縁抵抗値が演算されるため、その測定対象についての絶縁抵抗値の測定処理を充分に短い時間で完了させることができる。また、絶縁状態が不良の測定対象や、絶縁抵抗が良好であるものの、その絶縁抵抗値がやや低下している測定対象については、制御部が予め規定された安定状態になったと判別した時点において、その時点において演算された絶縁抵抗値が測定結果として自動的にホールドされるため、絶縁抵抗値の測定処理の都度、安定状態の判別基準が相違する事態を好適に回避することができる。これにより、好適な比較が可能な測定結果を短時間で容易に取得することができる。
【００１９】
請求項２記載の絶縁抵抗計では、制御部が、条件Ａ、条件Ｂ、演算部によって演算された絶縁抵抗値が第１の抵抗値よりも低い値の予め設定された第２の抵抗値よりも低い値で予め規定された安定状態になったとの条件Ｃとしての条件Ｄ、および演算部によって演算された絶縁抵抗値が第２の抵抗値以上で第１の抵抗値未満の範囲内で予め規定された安定状態になったとの条件Ｃとしての条件Ｅのいずれかの条件が満たされたときに、第２の条件が満たされたとすると共に、条件Ｂおよび条件Ｅのいずれかが満たされたときに、測定対象の絶縁状態が良好であると判定し、かつ条件Ｄが満たされたときに、測定対象の絶縁状態が不良であると判定する。
【００２０】
したがって、請求項２記載の絶縁抵抗計によれば、演算される絶縁抵抗値が第１の抵抗値以上となる測定対象については、第１の抵抗値以上の絶縁抵抗値が演算された時点で絶縁状態が良好であると直ちに判定され、そのような測定対象以外の測定対象についても、安定状態となった絶縁抵抗値が第２の抵抗値を下回っているときには絶縁状態が不良であると判定され、安定状態となった絶縁抵抗値が第２の抵抗値以上のときには絶縁状態が良好であると判定されるため、測定結果に基づいて使用者や外部装置が良否判定を行うことなく、測定対象の絶縁状態を確実かつ容易に特定することができる。
【００２１】
請求項３記載の絶縁抵抗計によれば、制御部が、第２の条件が満たされたときに、測定部による電流値の測定および演算部による絶縁抵抗値の演算を終了させることにより、第２の条件が満たされた後にも測定部による測定や演算部による絶縁抵抗値の演算を継続する構成とは異なり、第２の条件が満たされた時点において測定対象に対する測定用電圧の印加が終了し、かつ演算部による演算処理による電力の消費も終了するため、測定対象の絶縁抵抗値の測定に要する電力を充分に低減することができる。これにより、電源として電池（一次電池や二次電池）を利用する構成においては、残存電力で測定処理を実行可能な回数を充分に多くすることができる。
【００２２】
請求項４記載の絶縁抵抗計によれば、制御部が、第２の条件が満たされたときに、測定結果出力部から外部装置に測定結果を出力させることにより、保持した測定結果を手動で外部装置に出力する必要がなくなるため、絶縁抵抗計の使用者（測定作業を実施する者）にかかる負担を充分に軽減することができる。
【図面の簡単な説明】
【００２３】
【図１】絶縁抵抗計１の構成図である。
【図２】絶縁抵抗計１によって測定される絶縁抵抗値と処理開始からの経過時間との関係について説明するための説明図である。
【図３】絶縁抵抗測定処理１０のフローチャートである。
【発明を実施するための形態】
【００２４】
以下、絶縁抵抗計の実施の形態について、添付図面を参照して説明する。
【００２５】
図１に示す絶縁抵抗計１は、「絶縁抵抗計」の一例であって、測定部２、通信部３、操作部４、表示部５、処理部６および記憶部７を備えている。測定部２は、「測定部」の一例であって、処理部６の制御に従い、図示しない測定対象に測定用電圧を印加しつつ、測定対象を流れる電流の電流値を測定して、測定用電圧の電圧値を示す電圧値データＤｖ、および測定した電流値を示す電流値データＤａを処理部６に出力する。
【００２６】
通信部３は、「測定結果出力部」の一例であって、後述するように、処理部６の制御に従い、処理部６が生成した絶縁抵抗値データＤｒを「測定結果」として外部装置Ｘに出力する。この場合、本例の絶縁抵抗計１では、一例として、ブルートゥース（Bluetooth ：登録商標）規格などの近距離無線通信規格に準ずる無線通信が可能な通信アダプタで通信部３が構成されており、同じ通信規格で無線通信が可能な外部装置Ｘ等の機器との間で各種のデータを送受信することができるように構成されている。
【００２７】
操作部４は、絶縁抵抗計１の動作条件（測定条件や外部装置Ｘへの絶縁抵抗値データＤｒの送信条件等）を設定するための操作スイッチや、測定開始、および測定値のホールドを指示する操作スイッチ（以下、「開始／ホールドスイッチ」ともいう）などの複数の操作スイッチ（いずれも図示せず）を備え、スイッチ操作に応じた操作信号を処理部６に出力する。なお、本例の絶縁抵抗計１では、測定対象に接触可能な測定用プローブが測定部２に接続されており（図示せず）、この測定用プローブにも、上記の開始／ホールドスイッチが操作部の一部として配設されている。表示部５は、設定された動作条件や、測定された測定値（絶縁抵抗値）などを処理部６の制御下で表示する。
【００２８】
処理部６は、絶縁抵抗計１を総括的に制御する。具体的には、処理部６は、「制御部」として機能して、測定部２、通信部３および表示部５の動作を制御する。また、処理部６は、「演算部」として機能して、測定部２から出力される電圧値データＤｖおよび電流値データＤａに基づいて測定対象の絶縁抵抗値を演算して絶縁抵抗値データＤｒを生成すると共に、演算した絶縁抵抗値の大きさに基づいて測定対象の良否を判定する。なお、本例の絶縁抵抗計１における処理部６の構成とは異なり、「制御部」として機能するプロセッサと、「演算部」として機能するプロセッサと別個独立して設けることもできる。記憶部７は、処理部６の動作プログラム、および絶縁抵抗計１の動作条件を記録した後述の動作条件データＤｃを記憶すると共に、上記の電圧値データＤｖ、電流値データＤａおよび絶縁抵抗値データＤｒなどを記憶する。
【００２９】
一方、本例で使用する外部装置Ｘは、一例として、絶縁抵抗計１などの測定機器から測定結果を取得して表示するためのアプリケーションがインストールされた処理端末（スマートフォン、タブレットおよびパーソナルコンピュータなど）で構成されている。この外部装置Ｘは、絶縁抵抗計１における通信部３と同様の無線通信が可能な通信アダプタを備えており、絶縁抵抗計１から送信される絶縁抵抗値データＤｒなどを受信することができるように構成されている。
【００３０】
次に、絶縁抵抗計１を使用した測定対象の絶縁抵抗値の測定作業の一例について、添付図面を参照して説明する。なお、外部装置Ｘへの上記のアプリケーションのインストールや、絶縁抵抗計１の通信部３と外部装置Ｘとのペアリング作業（通信可能な状態とする作業）などは既に完了しているものとする。
【００３１】
まず、操作部４を操作することにより、測定対象に求められる絶縁状態などに応じて測定部２の測定レンジを選択すると共に、「第１の抵抗値」に相当する良好判定閾値ＲＨ、および「第２の抵抗値」に相当する不良判定閾値ＲＬをそれぞれ設定する。
【００３２】
この場合、良好判定閾値ＲＨは、後述の絶縁抵抗測定処理１０（図３参照）において、測定値（絶縁抵抗値）が安定状態になっていなくても、設定値以上の絶縁抵抗値が測定された時点において測定対象の絶縁状態が良好であると直ちに判定するための閾値である。したがって、この良好判定閾値ＲＨについては、測定対象の絶縁状態が良好か不良かを判定する閾値よりも充分に高い絶縁抵抗値を設定するのが好ましいが、過剰に高い値を設定したときには、測定処理に要する時間の短縮が困難となるおそれがある。また、不良判定閾値ＲＬは、絶縁抵抗測定処理１０において、安定状態となった測定値が設定値を下回っているときに測定対象の絶縁状態が不良である判定し、安定状態となった測定値が設定値以上のときに測定対象の絶縁状態が良好である判定するための閾値（測定対象の絶縁状態が良好か不良かを判定する閾値）である。したがって、この不良判定閾値ＲＬについては、測定対象が満たしているべき規格等によって定められた値を設定するのが好ましい。
【００３３】
上記のように、操作部４の操作によって、測定レンジ、良好判定閾値ＲＨおよび不良判定閾値ＲＬがそれぞれ設定されたときに、処理部６は、動作条件データＤｃを生成して記憶部７に記憶させる。以上により、測定作業を行う準備が整う。また、処理部６は、動作条件データＤｃの生成（記憶部７への記憶）が終了したときに、図３に示す絶縁抵抗測定処理１０を開始する。
【００３４】
この絶縁抵抗測定処理１０では、処理部６は、絶縁抵抗値の測定を開始する開始操作が行われたか否かの監視を開始する（ステップ１１）。この場合、本例の絶縁抵抗計１では、開始／ホールドスイッチの操作（開始／ホールドスイッチを押圧する動作）が「開始操作」に相当し、開始／ホールドスイッチの操作終了（開始／ホールドスイッチを押圧する動作の終了）が「ホールド操作」に相当する。したがって、絶縁抵抗値の測定を開始するときには、測定用プローブを測定対象に接触させた状態で開始／ホールドスイッチを操作する。
【００３５】
この際に、処理部６は、開始操作が行われたと判別し（「予め規定された第１の条件が満たされたとき」の一例）、測定部２を制御して測定を開始させると共に、絶縁抵抗値の演算を実行する（ステップ１２）。具体的には、処理部６は、測定部２を制御して、動作条件データＤｃに記録されている測定レンジ（設定された測定レンジ）に対応する電圧値の測定用電圧を測定対象に印加させつつ、測定対象を流れる電流の電流値を測定させる。また、処理部６は、測定部２から出力される電圧値データＤｖの電圧値、および電流値データＤａの電流値に基づき、測定対象の絶縁抵抗値を演算して演算結果を表示部５に表示させると共に、演算結果を示す絶縁抵抗値データＤｒを生成して電圧値データＤｖおよび電流値データＤａと共に記憶部７に記憶させる。
【００３６】
次いで、処理部６は、ホールド操作が行われたか否かを判別する（ステップ１３）。この際に、例えば、表示部５に表示された絶縁抵抗値を見た使用者が、測定を継続する必要がないと判断して開始／ホールドスイッチから指を離したとき（ホールド操作が行われたとき：「予め規定された第２の条件が満たされたとき」の一例である「予め規定された測定結果保持操作が行われたとの条件Ａが満たされたとき」の一例）に、処理部６は、ホールド操作が行われたと判別し、記憶部７に記憶されている最新の絶縁抵抗値データＤｒの値（絶縁抵抗値）を測定対象についての測定結果として保持（ホールド）する（「第２の条件が満たされた時点において演算部によって演算された絶縁抵抗値を測定対象についての測定結果として保持する」との処理の一例：ステップ１４）。
【００３７】
この際に、本例の絶縁抵抗計１では、処理部６が、良否判定を行うことなく、測定部２を制御して測定対象に対する測定用電圧の印加、および測定対象を流れる電流の電流値の測定を終了させ、かつ電圧値データＤｖおよび電流値データＤａに基づく絶縁抵抗値の演算を終了する。また、処理部６は、最新の演算結果（ホールド操作が行われた時点において演算した絶縁抵抗値）を表示部５に固定的に表示させる（表示替えせずに継続的に表示させる）と共に、測定値をホールドしている状態である旨を報知するために、一例として「ＨＯＬＤ」との文字列を演算結果と共に表示部５に表示させる。
【００３８】
さらに、処理部６は、保持した測定結果の絶縁抵抗値データＤｒを通信部３から外部装置Ｘに送信させて（ステップ１５）、この絶縁抵抗測定処理１０を終了する。この結果、外部装置Ｘにおいて、絶縁抵抗計１から送信された絶縁抵抗値データＤｒが記録されると共に、絶縁抵抗値データＤｒの値（測定対象の絶縁抵抗値）が表示部に表示される（図示せず）。これにより、本例の絶縁抵抗計１では、開始／ホールドスイッチから指を離すホールド操作を行うだけで、その時点の演算結果を測定結果としてホールドさせ、かつ、測定結果を示す絶縁抵抗値データＤｒを外部装置Ｘに送信する一連の作業を完了させることが可能となっている。
【００３９】
一方、上記のステップ１３において、ホールド操作が行われていないと判別したときに、処理部６は、電圧値データＤｖおよび電流値データＤａに基づく演算結果が良好判定閾値ＲＨ以上であるか否かを判別する（ステップ１６）。この際に、絶縁抵抗測定処理１０の開始直後のこの時点においては、演算結果が良好判定閾値ＲＨよりも低い値のため、処理部６は、演算結果が安定状態になったか否かを判別する（ステップ１７）。この場合、絶縁抵抗測定処理１０の開始直後のこの時点においては、安定状態になったか否かを比較すべき充分な量の演算結果が得られていないため、処理部６は、安定状態になっていないと判別してステップ１２に戻り、測定部２による電流値データＤａの測定、および電圧値データＤｖおよび電流値データＤａに基づく絶縁抵抗値の演算を実行する。
【００４０】
この後、処理部６は、ホールド操作の有無の判別（ステップ１３）、演算結果が良好判定閾値ＲＨ以上であるか否かの判別（ステップ１６）、および演算結果が安定状態になったか否かの判別（ステップ１７）の各処理を繰り返し実行する。
【００４１】
この場合、測定対象の絶縁状態が良好なときには、その絶縁抵抗値が充分に高い値となっている。したがって、測定対象の絶縁状態が良好で、かつ測定対象が有する容量成分が小さいときには、図２に実線Ｌａで示すように、開始／ホールドスイッチが操作されて測定部２による電流値の測定および処理部６による絶縁抵抗値の演算が開始された時点ｔ０から僅かな時間が経過した時点において、測定対象の状態に応じた充分に高い絶縁抵抗値が演算され、時点ｔａにおいて良好判定閾値ＲＨと同値の絶縁抵抗値が演算される。
【００４２】
このような測定対象についての絶縁抵抗測定処理１０を実行したときに、処理部６は、電圧値データＤｖおよび電流値データＤａに基づく演算結果が良好判定閾値ＲＨと同値になった時点ｔａにおいて（「予め規定された第２の条件が満たされたとき」の他の一例である「演算された絶縁抵抗値が予め設定された第１の抵抗値以上になったとの条件Ｂが満たされたとき」の一例：ステップ１６）、測定対象の絶縁状態が良好であると判定する（ステップ１８）。
【００４３】
また、処理部６は、記憶部７に記憶されている最新の絶縁抵抗値データＤｒの値（良好判定閾値ＲＨと同値の絶縁抵抗値）を測定対象についての測定結果として保持（ホールド）する（「第２の条件が満たされた時点において演算部によって演算された絶縁抵抗値を測定対象についての測定結果として保持する」との処理の他の一例：ステップ１４）。
【００４４】
さらに、処理部６は、測定部２を制御して測定対象に対する測定用電圧の印加、および測定対象を流れる電流の電流値の測定を終了させ、かつ電圧値データＤｖおよび電流値データＤａに基づく絶縁抵抗値の演算を終了する。また、処理部６は、最新の演算結果を表示部５に固定的に表示させると共に、一例として、測定対象の絶縁状態が良好である旨を示す「ＰＡＳＳ」との文字列を、ホールド中である旨を示す「ＨＯＬＤ」との文字列、および演算結果と共に表示部５に表示させる。
【００４５】
なお、演算結果が良好判定閾値ＲＨ以上となった時点ｔａで測定値をホールドする本例では、ホールドした測定値が測定対象の実際の絶縁抵抗値とは異なることが多い。したがって、本例の絶縁抵抗計１では、一例として、ステップ１６において演算結果が良好判定閾値ＲＨ以上であると判別した後のステップ１４において、演算結果に関し「≧〇〇〇ＭΩ（「〇〇〇」は、良好判定閾値ＲＨの値を示す数値）」のように表示することで、測定対象の絶縁抵抗値が良好判定閾値ＲＨ以上であること（「〇〇〇ＭΩ」が実際の絶縁抵抗値とは異なること）を報知する構成が採用されている。
【００４６】
さらに、処理部６は、保持した測定結果の絶縁抵抗値データＤｒを通信部３から外部装置Ｘに送信させ（ステップ１５）、この絶縁抵抗測定処理１０を終了する。これにより、外部装置Ｘにおいて、絶縁抵抗計１から送信された絶縁抵抗値データＤｒが記録されると共に、絶縁抵抗値データＤｒの値（測定対象の絶縁抵抗値）が表示部に表示される（図示せず）。
【００４７】
一方、絶縁状態が良好な測定対象についての上記の例とは異なり、測定対象の絶縁状態が不良なときには、その絶縁抵抗値が非常に低い値となっている。したがって、測定対象の絶縁状態が不良で、かつ測定対象が有する容量成分が小さいときには、図２に二点鎖線Ｌｂで示すように、開始／ホールドスイッチが操作されて測定部２による電流値の測定および処理部６による絶縁抵抗値の演算が開始された時点ｔ０から僅かな時間が経過した時点ｔｂにおいて、測定対象の状態に応じた低い絶縁抵抗値で安定状態となる。
【００４８】
このような測定対象についての絶縁抵抗測定処理１０を実行したときに、処理部６は、電圧値データＤｖおよび電流値データＤａに基づく演算結果の単位時間当りの変化率が予め規定された変化率を下回る状態（例えば、連続する１０回分の演算結果の変化量が予め規定された量を下回る状態）となったときに（「予め規定された第２の条件が満たされたとき」のさらに他の一例である「演算された絶縁抵抗値が第１の抵抗値を下回る値で予め規定された安定状態になったとの条件Ｃが満たされたとき」の一例：ステップ１７）、安定状態となった演算結果が不良判定閾値ＲＬを下回っているか否かを判別する（ステップ２０）。
【００４９】
なお、上記のように「演算された絶縁抵抗値が安定状態になったか否か」の判別基準（上記の例では、「連続する１０回分の演算結果の変化量」の閾値）については、一例として、測定部２の各測定レンジ毎に予め規定されて記憶部７に記憶されているものとする。
【００５０】
また、処理部６は、演算結果が不良判定閾値ＲＬを下回っているときに（「演算された絶縁抵抗値が予め設定された第２の抵抗値よりも低い値で予め規定された安定状態になったとの条件Ｃとしての条件Ｄが満たされたとき」の一例）、測定対象の絶縁状態が不良であると判定する（ステップ１９）。この際に、処理部６は、記憶部７に記憶されている最新の絶縁抵抗値データＤｒの値（不良判定閾値ＲＬを下回る絶縁抵抗値）を測定対象についての測定結果として保持（ホールド）する（「第２の条件が満たされた時点において演算部によって演算された絶縁抵抗値を測定対象についての測定結果として保持する」との処理のさらに他の一例：ステップ１４）。
【００５１】
さらに、処理部６は、測定部２を制御して測定対象に対する測定用電圧の印加、および測定対象を流れる電流の電流値の測定を終了させ、かつ電圧値データＤｖおよび電流値データＤａに基づく絶縁抵抗値の演算を終了する。また、処理部６は、最新の演算結果を表示部５に固定的に表示させると共に、一例として、測定対象の絶縁状態が不良である旨を示す「ＦＡＩＬ」との文字列を、ホールド中である旨を示す「ＨＯＬＤ」との文字列、および演算結果と共に表示部５に表示させる。
【００５２】
さらに、処理部６は、保持した測定結果の絶縁抵抗値データＤｒを通信部３から外部装置Ｘに送信させ（ステップ１５）、この絶縁抵抗測定処理１０を終了する。これにより、外部装置Ｘにおいて、絶縁抵抗計１から送信された絶縁抵抗値データＤｒが記録されると共に、絶縁抵抗値データＤｒの値（測定対象の絶縁抵抗値）が表示部に表示される（図示せず）。
【００５３】
また、上記の各例とは異なり、測定対象が有する容量成分がやや大きいときには、図２に一点鎖線Ｌｃで示すように、開始／ホールドスイッチが操作されて測定部２による電流値の測定および処理部６による絶縁抵抗値の演算が開始された時点ｔ０から、演算される絶縁抵抗値が安定状態となる時点ｔｃまでにある程度の時間を要する。さらに、その測定対象の絶縁状態が、不良であると判定される程ではないものの、電気設備の施工不良や経年劣化等に起因して絶縁抵抗値がやや低下している場合には一点鎖線Ｌｃで示す例のように、安定状態となった絶縁抵抗値が不良判定閾値ＲＬ以上で良好判定閾値ＲＨ未満の値となる。
【００５４】
このような測定対象についての絶縁抵抗測定処理１０を実行したときに、処理部６は、電圧値データＤｖおよび電流値データＤａに基づく演算結果の単位時間当りの変化率が予め規定された変化率を下回る状態となったときに（「予め規定された第２の条件が満たされたとき」のさらに他の一例である「演算された絶縁抵抗値が第１の抵抗値を下回る値で予め規定された安定状態になったとの条件Ｃが満たされたとき」の他の一例：ステップ１７）、安定状態となった演算結果が不良判定閾値ＲＬを下回っているか否かを判別する（ステップ２０）。
【００５５】
また、処理部６は、演算結果が不良判定閾値ＲＬ以上のときに（「演算された絶縁抵抗値が第２の抵抗値以上で第１の抵抗値未満の範囲内で予め規定された安定状態になったとの条件Ｃとしての条件Ｅが満たされたとき」の一例）、測定対象の絶縁状態が良好であると判定する（ステップ１８）。この際に、処理部６は、記憶部７に記憶されている最新の絶縁抵抗値データＤｒの値（不良判定閾値ＲＬ以上で良好判定閾値ＲＨ未満の絶縁抵抗値）を測定対象についての測定結果として保持（ホールド）する（「第２の条件が満たされた時点において演算部によって演算された絶縁抵抗値を測定対象についての測定結果として保持する」との処理のさらに他の一例：ステップ１４）。
【００５６】
さらに、処理部６は、測定部２を制御して測定対象に対する測定用電圧の印加、および測定対象を流れる電流の電流値の測定を終了させ、かつ電圧値データＤｖおよび電流値データＤａに基づく絶縁抵抗値の演算を終了する。また、処理部６は、最新の演算結果を表示部５に固定的に表示させると共に、一例として、測定対象の絶縁状態が良好である旨を示す「ＰＡＳＳ」との文字列を、ホールド中である旨を示す「ＨＯＬＤ」との文字列、および演算結果と共に表示部５に表示させる。
【００５７】
さらに、処理部６は、保持した測定結果の絶縁抵抗値データＤｒを通信部３から外部装置Ｘに送信させ（ステップ１５）、この絶縁抵抗測定処理１０を終了する。これにより、外部装置Ｘにおいて、絶縁抵抗計１から送信された絶縁抵抗値データＤｒが記録されると共に、絶縁抵抗値データＤｒの値（測定対象の絶縁抵抗値）が表示部に表示される（図示せず）。
【００５８】
この場合、出願人は、各種の測定対象についての絶縁抵抗測定処理１０を実行したときに、その多くにおいて、開始／ホールドスイッチが操作されて測定部２による電流値の測定および処理部６による絶縁抵抗値の演算が開始された時点ｔ０から１分が経過する時点ｔ１よりも前に演算結果（絶縁抵抗値）がホールドされる（上記の例における時点ｔａ〜ｔｃが到来する）ことを確認している。
【００５９】
このように、この絶縁抵抗計１では、処理部６が、予め規定された「第１の条件」が満たされたときに、測定部２による電流値の測定を開始させて絶縁抵抗値の演算を開始し、かつ予め規定された「第２の条件」が満たされたときに、「第２の条件」が満たされた時点において演算した絶縁抵抗値を測定対象についての測定結果として保持して絶縁抵抗値データＤｒを生成すると共に、予め規定された「測定結果保持操作（本例では、測定スイッチの押圧の終了）」が行われたとの「条件Ａ」、演算した絶縁抵抗値が予め設定された良好判定閾値ＲＨ（第１の抵抗値）以上になったとの「条件Ｂ」、および演算した絶縁抵抗値が良好判定閾値ＲＨを下回る値で予め規定された「安定状態」になったとの「条件Ｃ」のいずれかの条件が満たされたときに、「第２の条件」が満たされたとする。
【００６０】
したがって、この絶縁抵抗計１によれば、絶縁状態が良好で、かつ容量成分が小さい測定対象については、測定部２による測定および処理部６による絶縁抵抗値の演算を開始してから短時間で良好判定閾値ＲＨ以上の絶縁抵抗値が演算されるため、その測定対象についての絶縁抵抗値の測定処理を充分に短い時間で完了させることができる。また、絶縁状態が不良の測定対象や、絶縁抵抗が良好であるものの、その絶縁抵抗値がやや低下している測定対象については、処理部６が予め規定された「安定状態」になったと判別した時点において、その時点において演算された絶縁抵抗値が測定結果として自動的にホールドされるため、絶縁抵抗値の測定処理の都度、「安定状態」の判別基準が相違する事態を好適に回避することができる。これにより、好適な比較が可能な測定結果を短時間で容易に取得することができる。
【００６１】
また、この絶縁抵抗計１では、処理部６が、「条件Ａ」、「条件Ｂ」、演算した絶縁抵抗値が良好判定閾値ＲＨよりも低い値の予め設定された不良判定閾値ＲＬ（第２の抵抗値）よりも低い値で予め規定された「安定状態」になったとの「条件Ｃ」としての「条件Ｄ」、および演算した絶縁抵抗値が不良判定閾値ＲＬ以上で良好判定閾値ＲＨ未満の範囲内で予め規定された「安定状態」になったとの「条件Ｃ」としての「条件Ｅ」のいずれかの条件が満たされたときに、「第２の条件」が満たされたとすると共に、「条件Ｂ」および「条件Ｅ」のいずれかが満たされたときに、測定対象の絶縁状態が良好であると判定し、かつ「条件Ｄ」が満たされたときに、測定対象の絶縁状態が不良であると判定する。
【００６２】
したがって、この絶縁抵抗計１によれば、演算される絶縁抵抗値が良好判定閾値ＲＨ以上となる測定対象については、良好判定閾値ＲＨ以上の絶縁抵抗値が演算された時点で絶縁状態が良好であると直ちに判定され、そのような測定対象以外の測定対象についても、安定状態となった絶縁抵抗値が不良判定閾値ＲＬを下回っているときには絶縁状態が不良であると判定され、安定状態となった絶縁抵抗値が不良判定閾値ＲＬ以上のときには絶縁状態が良好であると判定されるため、測定結果に基づいて使用者や外部装置が良否判定を行うことなく、測定対象の絶縁状態を確実かつ容易に特定することができる。
【００６３】
さらに、この絶縁抵抗計１によれば、処理部６が、「第２の条件」が満たされたときに、測定部２による電流値の測定を終了させ、かつ絶縁抵抗値の演算を終了することにより、「第２の条件」が満たされた後にも測定部２による測定や処理部６による絶縁抵抗値の演算を継続する構成とは異なり、「第２の条件」が満たされた時点において測定対象に対する測定用電圧の印加が終了し、かつ処理部６による演算処理による電力の消費も終了するため、測定対象の絶縁抵抗値の測定に要する電力を充分に低減することができる。これにより、電源として電池（一次電池や二次電池）を利用する構成においては、残存電力で測定処理を実行可能な回数を充分に多くすることができる。
【００６４】
さらに、この絶縁抵抗計１によれば、処理部６が、「第２の条件」が満たされたときに、通信部３から外部装置Ｘに測定結果としての絶縁抵抗値データＤｒを出力させることにより、保持した測定結果（絶縁抵抗値データＤｒ）を手動で外部装置Ｘに出力する必要がなくなるため、絶縁抵抗計１の使用者（測定作業を実施する者）にかかる負担を充分に軽減することができる。
【００６５】
なお、「絶縁抵抗計」の構成は、上記の絶縁抵抗計１の構成の例に限定されない。例えば、演算結果（演算した絶縁抵抗値）が不良判定閾値ＲＬを下回っているか否かに基づいて測定対象の絶縁状態が良好か不良かを判定する処理を実行する構成を例に挙げて説明したが、絶縁状態が良好か不良かの判定については、測定結果に基づいて使用者や外部装置が行う構成を採用することもできる。
【００６６】
そのような構成を採用する場合においても、「測定結果保持操作が行われたとの条件Ａ」、「演算された絶縁抵抗値が予め設定された第１の抵抗値以上になったとの条件Ｂ」および「演算された絶縁抵抗値が第１の抵抗値を下回る値で安定状態になったとの条件Ｃ」のいずれかの条件が満たされたときに、「第２の条件が満たされた」とする構成を採用することにより、絶縁状態が良好で、かつ容量成分が小さい測定対象については、絶縁抵抗値の測定処理を充分に短い時間で完了させることができ、絶縁状態が不良の測定対象や、絶縁抵抗が良好であるものの、その絶縁抵抗値がやや低下している測定対象については、絶縁抵抗値の測定処理の都度、「安定状態」の判別基準が相違する事態を好適に回避することができる。これにより、好適な比較が可能な測定結果を短時間で容易に取得することができる。
【００６７】
また、「第２の条件」が満たされたときに、その時点の最新の演算結果を測定対象についての測定結果として保持すると共に、測定部２による測定および処理部６による絶縁抵抗値の演算を終了する構成を例に挙げて説明したが、「第２の条件」が満たされたときに、その時点の最新の演算結果を測定対象についての測定結果として保持するだけで、「測定部」による測定および「演算部」による絶縁抵抗値の演算を終了せずに継続する構成を採用することもできる。さらに、「第２の条件」が満たされたときに、通信部３から外部装置Ｘに「測定結果」としての絶縁抵抗値データＤｒを送信させる構成を例に挙げて説明したが、「測定結果出力部から外部装置への測定結果の出力」は、「絶縁抵抗計」に必須の機能ではなく、そのような機能を備えない構成を採用することもできる。
【符号の説明】
【００６８】
１  絶縁抵抗計
２  測定部
３  通信部
４  操作部
５  表示部
６  処理部
７  記憶部
１０  絶縁抵抗測定処理
Ｄａ  電流値データ
Ｄｃ  動作条件データ
Ｄｒ  絶縁抵抗値データ
Ｄｖ  電圧値データ
ＲＨ  良好判定閾値
ＲＬ  不良判定閾値
Ｘ  外部装置
【図１】
2019191058.tif 000003
【図２】
2019191058.tif 000004
【図３】
2019191058.tif 000005